(57)【要約】【課題】省電力化を図りつつ、所望のタイミングでデータを送信することのできる通信機器を提供する。【解決手段】通信データを受信するデータ受信回路２１０と、通信データを処理する処理装置２２０と、処理装置２２０を起動する起動回路２３０と、を備え、起動回路２３０は、処理装置２２０の起動を要求する起動要求信号を受信すると処理装置２２０に起動要求通知信号を出力し、処理装置２２０は、起動要求通知信号を受け取るまではスリープ状態で待機しており、起動要求通知信号を受け取ると起動状態に遷移し、データ受信回路２１０は、起動回路２３０または処理装置２２０から起動するよう要求されるまではスリープ状態で待機しており、起動回路２３０または処理装置２２０から起動するよう要求されると起動状態に遷移する。【選択図】図１
2010062609.tif 000002
【特許請求の範囲】
【請求項１】
通信データを受信するデータ受信回路と、
前記通信データを処理する処理装置と、
前記処理装置を起動する起動回路と、
を備え、
前記起動回路は、
前記処理装置の起動を要求する起動要求信号を受信すると前記処理装置に起動要求通知信号を出力し、
前記処理装置は、
前記起動要求通知信号を受け取るまではスリープ状態で待機しており、
前記起動要求通知信号を受け取ると起動状態に遷移し、
前記データ受信回路は、
前記起動回路または前記処理装置から起動するよう要求されるまではスリープ状態で待機しており、
前記起動回路または前記処理装置から起動するよう要求されると起動状態に遷移する
ことを特徴とする通信機器。
【請求項２】
前記起動要求信号を受信した旨の応答信号を送信する手段を備えた
ことを特徴とする請求項１記載の通信機器。
【請求項３】
通信データを送信するデータ送信回路を備え、
前記処理装置は、
前記起動要求信号に対するＡＣＫを送信するよう要求するＡＣＫ送信要求信号を前記データ送信回路に出力し、
前記データ送信回路は、
前記ＡＣＫ送信要求信号を受け取るとＡＣＫを送信する
ことを特徴とする請求項２記載の通信機器。
【請求項４】
搬送波を受信して変調する負荷変調回路を備え、
前記処理装置は、
前記起動要求信号に対するＡＣＫを送信するよう要求するＡＣＫ送信要求信号を前記負荷変調回路に出力し、
前記負荷変調回路は、
前記ＡＣＫ送信要求信号を受け取ると、
前記搬送波を変調してＡＣＫを生成し送信する
ことを特徴とする請求項２記載の通信機器。
【請求項５】
前記起動回路は、
特定の周波数のみを取り出す共振回路と、
交流を直流に変換する整流回路と、
前記整流回路が出力する電力を蓄積する充電回路と、
前記充電回路が蓄積している電力が第１閾値を超えたか否かを判定する判定回路と、
を備えることを特徴とする請求項１ないし請求項４のいずれかに記載の通信機器。
【請求項６】
前記起動要求信号が当該通信機器宛であるか否かを判定する手段を備え、
前記処理装置は、
前記起動要求信号が当該通信機器宛であるときは起動状態に遷移する
ことを特徴とする請求項１ないし請求項５のいずれかに記載の通信機器。
【請求項７】
前記起動回路は、
前記充電回路が蓄積する電力が第２閾値を超えた回数を数えるカウンタ回路を備え、
その回数が当該通信機器の固有値と合致したとき、
前記起動要求信号が当該通信機器宛であると判断し、
前記処理装置に前記起動要求通知信号を出力する
ことを特徴とする請求項５記載の通信機器。
【請求項８】
前記固有値を設定する手段を備えたことを特徴とする請求項７記載の通信機器。
【請求項９】
前記共振回路は、
当該通信機器に固有の共振周波数を有し、
前記起動要求信号の周波数が前記共振回路の共振周波数と合致したとき、
前記起動要求信号が当該通信機器宛であると判断し、
前記処理装置に起動要求通知信号を出力する
ことを特徴とする請求項５記載の通信機器。
【請求項１０】
請求項１ないし請求項９のいずれかに記載の通信機器と、
前記通信機器に前記起動要求信号を複数回送信する親機と、
を有することを特徴とする通信システム。
【請求項１１】
請求項３または請求項４記載の通信機器と、
前記通信機器に前記起動要求信号を送信する親機と、
を有し、
前記通信機器は、
前記起動要求信号を受信した旨の応答信号を前記親機に送信し、
前記親機は、
通信データを受信する第２データ受信回路と、
通信データを送信する第２データ送信回路と、
を備え、
前記通信機器が送信する前記応答信号を受信すると、
前記通信機器に通信データを送信する
ことを特徴とする通信システム。
【発明の詳細な説明】
【技術分野】
【０００１】
本発明は、通信機器およびその通信機器を有する通信システムに関する。
【背景技術】
【０００２】
ビル・ホーム向けネットワークにおいて、通信機器は様々な位置に設置される。そのため、電池駆動であることが望ましい。しかし、電池交換が必要となるので、通信機器の電池を交換する度に、多くの時間とコストがかかる。そこで、電池駆動の通信機器の省電力化が図られてきた。
【０００３】
上述のような省電力化に関し、『通信を無線によって行う２つの端末間で、送受信のタイミングを間欠的に互いに同期して行う場合、無駄な受信動作の時間をなくして消費電力を低減できる無線通信システムを提供する。』ことを目的とした技術として、『メイン端末は、通信データの先頭にグループを識別するためのグループＩＤを付加してサブ端末に送信する。サブ端末は、通信データを受信する際に、グループＩＤを読み取り、そのグループが自己のグループと一致するとき、間欠受信動作から連続受信動作に移行して、グループＩＤに続くデータを読み取る。』というものが提案されている（特許文献１）。
【０００４】
上記特許文献１に記載の技術では、省電力化を図るため、間欠動作を行う。さらに、送受信のタイミングをその間欠動作に合わせることにより、無駄な受信動作の時間をなくして消費電力を低減している。
【０００５】
【特許文献１】特開平１１−２４３５９０号公報（要約）
【発明の開示】
【発明が解決しようとする課題】
【０００６】
上記特許文献１に記載の技術では、送受信タイミングを二つの通信機器間で合わせるために、二つの通信機器間の時刻を合わせる必要がある。
時刻同期を行うため、各通信機器は同期用のデータを送受信し、通信機器間の時刻の同期をとる。二つの通信機器間で同期がとれた状態において、間欠動作を行う。データ送信を行う通信機器は、その間欠動作のタイミングに合わせてデータを送信する。
したがって、通信機器はデータを送信するタイミングは間欠動作のタイミングに制約を受け、任意のタイミングでデータを送信することができないという課題がある。
【０００７】
本発明は、上記のような課題を解決するためになされたものであり、省電力化を図りつつ、所望のタイミングでデータを送信することのできる通信機器を提供することを目的とする。
【課題を解決するための手段】
【０００８】
本発明に係る通信機器は、通信データを受信するデータ受信回路と、前記通信データを処理する処理装置と、前記処理装置を起動する起動回路と、を備え、前記起動回路は、前記処理装置の起動を要求する起動要求信号を受信すると前記処理装置に起動要求通知信号を出力し、前記処理装置は、前記起動要求通知信号を受け取るまではスリープ状態で待機しており、前記起動要求通知信号を受け取ると起動状態に遷移し、前記データ受信回路は、前記起動回路または前記処理装置から起動するよう要求されるまではスリープ状態で待機しており、前記起動回路または前記処理装置から起動するよう要求されると起動状態に遷移するものである。
【発明の効果】
【０００９】
本発明に係る通信機器は、起動要求信号を受信するまではスリープ状態で待機しているので、省電力化を図ることができる。
また、他の通信機器が当該通信機器にデータを送信したいときは、起動要求信号を当該通信機器に送信することで、当該通信機器の処理装置とデータ受信回路を起動させ、データを受信可能な状態にすることができる。そのため、他の通信機器は、所望のタイミングでデータを送信することが可能となる。
【発明を実施するための最良の形態】
【００１０】
実施の形態１．
図１は、本発明の実施の形態１に係る通信システムの構成図である。本実施の形態１に係る通信システムは、１ないし複数の親端末１００と、１ないし複数の子端末２００とを有する。
【００１１】
親端末１００は、データ送信回路１１０、親端末処理装置１２０、起動要求信号送信回路１３０を備える。
【００１２】
データ送信回路１１０は、無線通信によりデータを送信する。また、必要なアンテナ等の無線信号送信手段を適宜備える。
親端末処理装置１２０は、データ送信回路１１０と起動要求信号送信回路１３０の動作を制御する。
起動要求信号送信回路１３０は、子端末２００の子端末処理装置２２０を起動するよう要求する起動要求信号を送信する。また、必要なアンテナ等の無線信号送信手段を適宜備える。
【００１３】
子端末２００は、データ受信回路２１０、子端末処理装置２２０、起動回路２３０を備える。
【００１４】
データ受信回路２１０は、通常時はスリープ状態にあり、子端末処理装置２２０の指示にしたがって起動状態に遷移する。起動後は、無線通信によりデータを受信する。また、必要なアンテナ等の無線信号受信手段を適宜備える。
起動回路２３０は、親端末１００が送信した起動要求信号を受け取り、子端末処理装置２２０に対し、起動要求通知信号を出力する。
子端末処理装置２２０は、通常時はスリープ状態にあり、起動回路２３０から起動要求通知信号を受信すると起動状態に遷移する。起動後は、データ受信回路２１０の起動状態とスリープ状態を制御し、またデータ受信回路２１０が受信した通信データを処理する。
【００１５】
親端末処理装置１２０と子端末処理装置２２０、およびその各機能部は、これらの機能を実現する回路デバイスのようなハードウェアで構成することもできるし、マイコンやＣＰＵ（Ｃｅｎｔｒａｌ  Ｐｒｏｃｅｓｓｉｎｇ  Ｕｎｉｔ）のような演算装置とその動作を規定するソフトウェアで構成することもできる。
【００１６】
以上、親端末１００と子端末２００の構成を説明した。
次に、以下の図２〜図６を用いて、各部の詳細構成を説明する。
【００１７】
図２は、親端末処理装置１２０の機能ブロック図である。
親端末処理装置１２０は、起動要求部１２１、送信要求部１２２、待機処理部１２３を備える。
【００１８】
起動要求部１２１は、起動要求信号送信回路１３０に起動要求送信指示信号を送り、起動要求信号の送信を要求する。
送信要求部１２２は、データ送信回路１１０にデータ送信要求信号を送り、データ送信を要求する。
待機処理部１２３は、親端末処理装置１２０を一定時間待機させる処理を行う。
【００１９】
図３は、子端末処理装置２２０の機能ブロック図である。
子端末処理装置２２０は、データ受信回路起動処理部２２１、データ受信回路スリープ処理部２２２、起動状態遷移処理部２２３、スリープ状態遷移処理部２２４を備える。
【００２０】
データ受信回路起動処理部２２１は、起動回路２３０が出力する起動要求通知信号を受け取ると、データ受信回路２１０へ起動状態遷移要求信号を出力し、データ受信回路２１０を起動状態に遷移させる。
データ受信回路スリープ処理部２２２は、スリープ状態遷移要求信号をデータ受信回路２１０に出力し、データ受信回路２１０をスリープ状態に遷移させる。
【００２１】
起動状態遷移処理部２２３は、子端末処理装置２２０自身を起動状態に遷移させる。
スリープ状態遷移処理部２２４は、子端末処理装置２２０自身をスリープ状態に遷移させる。
【００２２】
なお、子端末処理装置２２０が起動状態であるとは、例えば子端末処理装置２２０がマイコンで構成されている場合、クロックが高速で動作し、消費電力が大きい状態のことである。
また、子端末処理装置２２０がスリープ状態であるとは、例えば子端末処理装置２２０がマイコンで構成されている場合、クロックが停止していたり、クロックが低速で動作していたり、周辺回路が停止している状態であり、起動状態と比較して著しく消費電力が小さい状態のことである。
【００２３】
図４は、データ受信回路２１０の機能ブロック図である。
データ受信回路２１０は、データ受信部２１１、起動状態遷移部２１２、スリープ状態遷移部２１３を備える。
【００２４】
データ受信部２１１は、親端末１００が送信する通信データを受信し、子端末処理装置２２０に出力する。
起動状態遷移部２１２は、子端末処理装置２２０が出力する起動状態遷移要求信号を受け取ると、データ受信回路２１０自身を起動状態に遷移させる。
スリープ状態遷移部２１３は、子端末処理装置２２０が出力するスリープ状態遷移要求信号を受信すると、データ受信回路２１０自身をスリープ状態に遷移させる。
【００２５】
データ受信回路２１０が起動状態であるとは、データを受信することができる状態であり、一般に微弱な無線電波等を増幅する等のために電力を大きく消費している状態のことである。
また、データ受信回路２１０がスリープ状態であるとは、データを受信することができない状態であり、消費電力が小さい状態のことである。
【００２６】
図５は、起動回路２３０の構成図である。
起動回路２３０は、共振回路２３１、整流回路２３２、充電回路２３３、判定回路２３４を備える。
【００２７】
共振回路２３１は、受信した通信信号から特定の周波数成分を取り出す。
整流回路２３２は、受信した交流信号を直流信号に整流する。
充電回路２３３は、整流回路２３２が出力する直流信号を用いて電力を蓄積する。
判定回路２３４は、充電回路２３３が蓄積している電力が所定閾値を超えたかどうかを判定する。判定回路２３４は、例えばリセットＩＣ（Ｉｎｔｅｇｒａｔｅｄ  Ｃｉｒｃｕｉｔ）を用いて構成することができる。その他、コンパレータ回路などを用いることもできる。
【００２８】
図５では、ＬＣ回路を用いて共振回路２３１を構成した例を示したが、これに限るものではなく、水晶やセラミックなど他の素子を用いてもよい。
また、図５において、一つのダイオードを用いて整流回路２３２を構成した例を示したが、ブリッジ整流回路や全波整流回路など他の整流回路を用いてもよい。
また、図５において、コンデンサを用いて充電回路２３３を構成した例を示したが、その他の電力蓄積手段を用いてもよい。
【００２９】
図６は、起動要求信号の波形と、起動回路２３０で起動要求信号を受信したときの各部における信号波形を示す図である。
図６に示すように、起動要求信号には、例えば無変調のキャリアを用いる。
充電回路２３３が起動要求信号の電力を蓄積し、溜まった電力がある閾値を超えると、判定回路２３４における信号波形が反転する。
起動回路２３０は、この信号波形の反転を起動要求通知信号とし、子端末処理装置２２０に出力する。
子端末処理装置２２０は、起動状態遷移処理部２２３の動作により、子端末処理装置２２３自身を起動する。
【００３０】
以上、親端末１００と子端末２００の各部の詳細構成を説明した。
次に、本実施の形態１に係る通信システムの動作を説明する。
【００３１】
図７は、親端末１００から子端末２００へデータを送信する際のシーケンス図である。以下、図７の各ステップについて説明する。
【００３２】
（Ｓ７０１）
親端末処理装置１２０は、起動要求信号送信回路１３０に起動要求送信指示信号を送信する。
（Ｓ７０２）
起動要求信号送信回路１３０は、起動要求送信指示信号を受け取ると、子端末２００に起動要求信号を送信する。
【００３３】
（Ｓ７０３）
子端末２００の起動回路２３０は、起動要求信号を受信すると、子端末処理装置２２０に起動要求通知信号を出力する。子端末処理装置２２０は、起動状態遷移処理部２２３の機能により、子端末処理装置２２０自身を起動する。
（Ｓ７０４）
子端末処理装置２２０が起動すると、データ受信回路起動処理部２２１は、データ受信回路２１０に起動状態遷移要求信号を出力する。データ受信回路２１０は、起動状態遷移部２１２の機能により、データ受信回路２１０自身を起動する。
【００３４】
（Ｓ７０５）
親端末処理装置１２０は、起動要求送信指示信号を出力した後、待機処理部１２３の機能により、子端末２００のデータ受信回路２１０が起動するに十分な時間待機する。
（Ｓ７０６）
親端末処理装置１２０は、ステップＳ７０５で十分な時間待機した後、データ送信要求信号をデータ送信回路１１０に出力する。
（Ｓ７０７）
データ送信回路１１０は、データを子端末２００に送信する。
【００３５】
（Ｓ７０８）
子端末２００のデータ受信回路２１０は、データを受信し、子端末処理装置２２０に受信通知信号を出力する。子端末処理装置２２０は、受信したデータの処理を行う。
（Ｓ７０９）
子端末処理装置２２０は、データの受信が完了し、そのデータの処理を終了した後、スリープ状態遷移要求信号をデータ受信回路２１０に出力する。
データ受信回路２１０は、スリープ状態遷移部２１３の機能により、スリープ状態に遷移する。
子端末処理装置２２０は、スリープ状態遷移要求信号をデータ受信回路２１０に出力した後、スリープ状態遷移処理部２２４の機能によりスリープ状態に遷移する。
【００３６】
以上、親端末１００から子端末２００へデータを送信する際のシーケンスを説明した。
なお、データの受信の完了は、例えば、一つのデータの受信ごとに完了と判断してもよいし、決められたデータ数を受信したときを受信の完了と判断してもよい。
また、決められた時間を受信時間とし、受信時間が終了したときを受信の完了と判断してもよい。
また、親端末１００が受信終了を示した内容を付与したデータを送信し、子端末２００がそのデータを受信したときを受信の完了と判断してもよい。
【００３７】
以上のように、本実施の形態１によれば、子端末２００のデータ受信回路２１０および子端末処理装置２２０は、データの受信時のみ起動し、データ受信時以外はスリープするため、消費電力の高い受信時の消費電力を極力抑えることができる。
また、親端末１００は、起動要求信号を送信し、子端末２００のデータ受信回路２１０を起動させることができるので、データ送信のタイミングについての制限なく、所望のタイミングでデータを送信することができる。
【００３８】
実施の形態２．
本発明の実施の形態２では、子端末２００が起動要求信号を受信したとき、その応答信号を親端末１００に送信する構成と動作を説明する。
【００３９】
図８は、本実施の形態２に係る無線システムの構成図である。
本実施の形態２に係る親端末１００は、実施の形態１の図１で説明した構成に加え、新たにデータ受信回路１４０を備える。また、本実施の形態２に係る子端末２００は、実施の形態１の図１で説明した構成に加え、新たにデータ送信回路２４０を備える。
その他の構成は、実施の形態１と概ね同様であるため、以下では差異点を中心に説明する。
【００４０】
子端末２００のデータ送信回路２４０は、親端末１００にデータを送信する。また、必要なアンテナ等の無線信号送信手段を適宜備える。
親端末１００のデータ受信回路１４０は、子端末２００より通信データを受信すると、受信通知信号を親端末処理装置１２０に出力する。また、必要なアンテナ等の無線信号受信手段を適宜備える。
【００４１】
図９は、本実施の形態２における親端末処理装置１２０の機能ブロック図である。
親端末処理装置１２０は、実施の形態１の図２で説明した構成に加え、新たにＡＣＫ受信判定部１２４を備える。
ＡＣＫ受信判定部１２４は、ＡＣＫを受信したかどうか判定し、ＡＣＫを受信していない場合は、起動要求部１２１を介して起動要求信号送信回路１３０に起動要求信号の送信を要求する。
【００４２】
図１０は、本実施の形態２における子端末処理装置２２０の機能ブロック図である。
子端末処理装置２２０は、実施の形態１の図３で説明した構成に加え、新たに送信要求部２２５を備える。
送信要求部２２５は、受信通知信号を受け取ると、データ送信回路２４０にデータ送信要求信号を送信する。
【００４３】
以上、本実施の形態２に係る親端末１００と子端末２００の各部の構成を説明した。
次に、本実施の形態２に係る通信システムの動作を説明する。
【００４４】
図１１は、親端末１００から子端末２００へデータを送信する際のシーケンス図である。以下、図１１の各ステップについて説明する。
【００４５】
（Ｓ１１０１）
親端末処理装置１２０は、起動要求信号送信回路１３０に起動要求送信指示信号を出力する。
（Ｓ１１０２）
起動要求信号送信回路１３０は、起動要求送信指示信号を受け取ると、子端末２００に起動要求信号を送信する。
（Ｓ１１０３）
子端末２００の起動回路２３０は、起動要求信号を受信すると、子端末処理装置２２０に起動要求通知信号を出力する。子端末処理装置２２０は、起動状態遷移処理部２２３の機能により、子端末処理装置２２０自身を起動する。
【００４６】
（Ｓ１１０４）
子端末処理装置２３０が起動すると、送信要求部２２５は、ＡＣＫ送信要求信号をデータ送信回路２４０に出力する。
（Ｓ１１０５）
データ送信回路２４０は、ＡＣＫ送信要求信号を受け取ると、ＡＣＫを親端末１００に送信する。
（Ｓ１１０６）
子端末処理装置２２０のデータ受信回路起動処理部２２１は、データ受信回路２１０に起動状態遷移要求信号を出力する。データ受信回路２１０は、起動状態遷移部２１２の機能により、データ受信回路２１０自身を起動する。
【００４７】
（Ｓ１１０７）
親端末１００のデータ受信回路１４０は、ＡＣＫを受信すると、受信通知信号を親端末処理装置１２０に出力する。
（Ｓ１１０８）
親端末処理装置１２０は、受信通知信号を受信すると、データ送信要求信号をデータ送信回路１１０に出力する。
（Ｓ１１０９）
データ送信回路１１０は、データを子端末２００に送信する。
【００４８】
（Ｓ１１１０）
子端末２００のデータ受信回路２１０は、データを受信し、子端末処理装置２２０に受信通知信号を出力する。子端末処理装置２２０は、受信したデータの処理を行う。
（Ｓ１１１１）
子端末処理装置２２０は、データの受信が完了し、そのデータの処理を終了した後、スリープ状態遷移要求信号をデータ受信回路２１０に出力する。
データ受信回路２１０は、スリープ状態遷移部２１３の機能により、スリープ状態に遷移する。
子端末処理装置２２０は、スリープ状態遷移要求信号をデータ受信回路２１０に出力した後、スリープ状態遷移処理部２２４の機能によりスリープする。
【００４９】
図１２は、子端末２００からＡＣＫが返ってこない場合のシーケンス図である。以下、図１２の各ステップについて説明する。
【００５０】
（Ｓ１２０１）
親端末処理装置１２０は、起動要求信号送信回路１３０に起動要求送信指示信号を出力する。
（Ｓ１２０２）
起動要求信号送信回路１３０は、起動要求送信指示信号を受け取ると、子端末２００に起動要求信号を送信する。
【００５１】
（Ｓ１２０３）
親端末処理装置１２０は、待機処理部１２３の機能により、一定時間待機する。
（Ｓ１２０４）
ここでは、何らかの理由で子端末２００からＡＣＫを受信しなかったものとする。
（Ｓ１２０５）
親端末処理装置１２０が一定時間待機した後、ＡＣＫ受信判定部１２４は、子端末２００からＡＣＫを受信したか否かを判定する。ここではＡＣＫを受信しなかったので、親端末処理装置１２０は、起動要求信号送信回路１３０に起動要求信号を再出力する。
【００５２】
以上、親端末１００から子端末２００へデータを送信する際のシーケンスを説明した。
なお、子端末２００のデータ送信回路２４０はＡＣＫを送信することを説明したが、ＡＣＫ以外のデータを送信するように構成してもよい。
データ送信回路２４０がＡＣＫ以外のデータを送信する場合でも、子端末２００の消費電力を抑えることが可能である。また、子端末２００から親端末１００にデータを送信することが可能である。
【００５３】
以上のように、本実施の形態２では、子端末２００はＡＣＫを親端末１００に送信するので、親端末１００が信号の到達判断をできるようになる。
到達判断ができるため、親端末１００はデータ送信ができるかわからないまま送信を行うことがなくなり、通信の信頼性を高めることが可能となる。
【００５４】
実施の形態３．
図１３は、本実施の形態３に係る無線システムの構成図である。
本実施の形態３に係る親端末１００は、実施の形態２の図８で説明した構成に加え、新たに搬送波送信回路１５０を備える。また、本実施の形態３に係る子端末２００は、実施の形態１の図１で説明した構成に加え、新たに負荷変調回路２５０を備える。
その他の構成は、実施の形態１〜２で説明したものと概ね同様であるため、以下では差異点を中心に説明する。
【００５５】
搬送波送信回路１５０は、子端末２００に無変調の搬送波を送信する。また、必要なアンテナ等の無線信号送信手段を適宜備える。
【００５６】
負荷変調回路２５０は、アンテナ等の無線信号送受信手段を備える。また、送信要求信号を受信すると、アンテナへの出力インピーダンスを変更する。出力インピーダンスを変更することにより、搬送波を受信した際に、アンテナと負荷変調回路２５０との間にインピーダンス不整合が起こり、搬送波が変調される。この変調により、子端末２００の送信データを送信する。
【００５７】
以上、本実施の形態３に係る親端末１００と子端末２００の各部の構成を説明した。
次に、本実施の形態３に係る通信システムの動作を説明する。
【００５８】
図１４は、親端末１００から子端末２００へデータを送信する際のシーケンス図である。以下、図１４の各ステップについて説明する。
【００５９】
（Ｓ１４０１）
親端末処理装置１２０は、起動要求信号送信回路１３０に起動要求送信指示信号を出力する。
（Ｓ１４０２）
起動要求信号送信回路１３０は、起動要求送信指示信号を受け取ると、子端末２００に起動要求信号を送信する。
【００６０】
（Ｓ１４０３）
親端末処理装置１２０は、搬送波送信回路１５０に送信要求信号を出力する。
（Ｓ１４０４）
搬送波送信回路１５０は、送信要求信号を受け取ると、子端末２００に搬送波（例えば無変調のキャリア信号）を送信する。
【００６１】
（Ｓ１４０５）
子端末２００の起動回路２３０は、起動要求信号を受信すると、子端末処理装置２２０に起動要求通知信号を出力する。子端末処理装置２２０は、起動状態遷移処理部２２３の機能により、子端末処理装置２２０自身を起動する。
（Ｓ１４０６）
子端末処理装置２３０が起動すると、送信要求部２２５は、ＡＣＫ送信要求信号を負荷変調回路２５０に出力する。
【００６２】
（Ｓ１４０７）
負荷変調回路２５０は、親端末１００が送信した搬送波をＡＣＫ送信要求信号により変調する。この変調により、ＡＣＫが送信される。
（Ｓ１４０８）
子端末処理装置２２０のデータ受信回路起動処理部２２１は、データ受信回路２１０を起動する。
【００６３】
（Ｓ１４０９）
親端末１００のデータ受信回路１１０は、ＡＣＫを受信すると、受信通知信号を親端末処理装置１２０に出力する。
（Ｓ１４１０）
親端末処理装置１２０は、受信通知信号を受信すると、データ送信要求信号をデータ送信回路１３０に出力する。
【００６４】
（Ｓ１４１１）
データ送信回路１３０は、データを子端末２００に送信する。
（Ｓ１４１２）
子端末１００のデータ受信回路２１０は、データを受信し、子端末処理装置２２０に受信通知信号を出力する。子端末処理装置２２０は、受信したデータの処理を行う。
（Ｓ１４１３）
子端末処理装置２２０は、データの受信が完了し、そのデータの処理を終了した後、スリープ状態遷移要求信号をデータ受信回路２１０に出力する。
データ受信回路２１０は、スリープ状態遷移部２１３の機能により、スリープ状態に遷移する。
子端末処理装置２２０は、スリープ状態遷移要求信号をデータ受信回路２１０に出力した後、スリープ状態遷移処理部２２４の機能によりスリープする。
【００６５】
図１５は、子端末２００からＡＣＫが返ってこない場合のシーケンス図である。以下、図１５の各ステップについて説明する。
【００６６】
（Ｓ１５０１）
親端末処理装置１２０は、起動要求信号送信回路１３０に起動要求送信指示信号を出力する。
（Ｓ１５０２）
起動要求信号送信回路１３０は、起動要求送信指示信号を受信すると、子端末２００に起動要求信号を送信する。
【００６７】
（Ｓ１５０３）
親端末処理装置１２０は、搬送波送信回路１５０に送信要求信号を出力する。
（Ｓ１５０４）
搬送波送信回路１５０は、送信要求信号を受信すると、子端末２００に搬送波を送信する。
【００６８】
（Ｓ１５０５）
親端末処理装置１２０は、待機処理部１２３の機能により、一定時間待機する。
（Ｓ１５０６）
ここでは、何らかの理由で子端末２００からＡＣＫを受信しなかったものとする。
（Ｓ１５０７）
親端末処理装置１２０が一定時間待機した後、ＡＣＫ受信判定部１２４は、子端末２００からＡＣＫを受信したか否かを判定する。ここではＡＣＫを受信しなかったので、親端末処理装置１２０は、起動要求信号送信回路１３０に起動要求信号を再出力する。
【００６９】
以上、親端末１００から子端末２００へデータを送信する際のシーケンスを説明した。
【００７０】
なお、本実施の形態３では、起動要求信号送信回路１３０と搬送波送信回路１５０は異なる回路として説明したが、これらを一つの回路として、搬送波を起動要求信号の一部または搬送波そのものとして送信してもよい。
【００７１】
また、本実施の形態３では、子端末２００の負荷変調回路２５０はＡＣＫを送信することを説明したが、ＡＣＫ以外のデータを送信するように構成してもよい。この場合、負荷変調回路２５０は、データ送信回路２４０と同様の役割を果たすことになる。
負荷変調回路２５０がＡＣＫ以外のデータを送信する場合でも、子端末２００の消費電力を抑えることができる。また、子端末２００から親端末１００にデータを送信することが可能である。
【００７２】
以上のように、本実施の形態３では、子端末２００の負荷変調回路１５０は、親端末１００が送信した搬送波をＡＣＫに変調して送信するため、子端末２００がＡＣＫを送信する際にかかる送信電力をなくすことが可能となる。
【００７３】
実施の形態４．
本発明の実施の形態４では、起動回路２３０の別構成例について説明する。
【００７４】
図１６は、本実施の形態４に係る子端末２００の起動回路２３０の構成図である。
本実施の形態４において、起動回路２３０は、実施の形態１の図５で説明した構成に加え、カウンタ回路２３５、比較回路２３６、ＤＩＰＳＷ（ＤＩＰ  ＳＷｉｔｃｈ）２３７を備える。
【００７５】
カウンタ回路２３５は、充電回路２３３に溜まった電力が所定閾値を超えた回数を数える。
比較回路２３６は、カウンタ回路２３５のカウンタ値とＤＩＰＳＷ２３７の設定値とを比較し、同一であった場合、子端末処理装置２２０を起動させる。
【００７６】
無線システム内に子端末２００が複数存在する場合、各子端末に固有の値をＤＩＰＳＷ２３７で設定しておけば、起動要求信号を用いて特定の子端末２００だけを起動させることができる。
【００７７】
なお、各子端末に固有の値を設定する手段として、ＤＩＰＳＷ２３７以外の手段を用いることもできる。例えば、通信により設定値を各子端末に送信する手法を用いてもよい。
【００７８】
また、共振回路２３１は、子端末２００毎に異なる共振周波数を有するように構成してもよい。このように共振周波数を設定することにより、親端末１００は起動させたい子端末２００の共振周波数に合わせて起動要求信号を送信し、その子端末２００のみを起動させることができる。
【００７９】
実施の形態５．
図１７は、本発明の実施の形態５に係る通信システムの構成図である。
本実施の形態５に係る親端末１００は、実施の形態１の図１で説明した構成に加え、新たにデータ受信回路１４０、起動回路１６０を備える。また、本実施の形態５に係る子端末２００は、実施の形態１の図１で説明した構成に加え、新たにデータ送信回路２４０、起動要求信号送信回路２６０を備える。
【００８０】
データ受信回路１４０、起動回路１６０は、それぞれデータ受信回路２１０、起動回路２３０と同様の構成・機能を備える。
データ送信回路２４０、起動要求信号送信回路２６０は、それぞれデータ送信回路１１０、起動要求信号送信回路１３０と同様の構成・機能を備える。
【００８１】
図１７のように、親端末１００と子端末２００が同等の構成を備えることにより、双方向の通信を実現することができる。
また、親端末１００と子端末２００双方の省電力化を図るとともに、親端末１００と子端末２００双方が、所望のタイミングでデータを送受信することができる。
【００８２】
実施の形態６．
以上の実施の形態１〜５では、起動要求信号を１度しか送信していないが、起動要求信号を複数回送信してもよい。複数回送信することで、信号が相手に到達する確率が増えるため、通信の信頼性を向上することができる。
【００８３】
また、以上の実施の形態１〜５では、各回路は１つのアンテナを備えているが、アンテナの数は回路の総数より少なくてもよい。例えば、親端末１００は１つのアンテナを備え、子端末２００は１つのアンテナを備えるように構成し、各回路がアンテナを共通利用してもよい。
【００８４】
また、以上の実施の形態１〜５では、子端末処理装置２２０がデータ受信回路２１０を起動することを説明したが、起動回路２３０が直接データ受信回路２１０を起動するようにしてもよい。
【００８５】
また、以上の実施の形態１〜５では、電磁波を用いる無線による通信の場合を想定したが、有線通信、赤外線、光など他の通信媒体を用いてもよい。
【００８６】
また、以上の実施の形態１〜５で説明した構成は、適宜組み合わせることができる。
例えば、実施の形態４で説明した起動回路２３０の構成を、他の実施の形態の構成で用いることができる。
あるいは、実施の形態２で説明したデータ受信回路１４０とデータ送信回路２４０、実施の形態３で説明した搬送波送信回路１５０と負荷変調回路２５０を、他の実施の形態の構成で用いることもできる。
【００８７】
実施の形態７．
図１８は、本発明の実施の形態７に係る空調システムの構成図である。
本実施の形態７に係る空調システムは、空気調和機３００、リモコン４００を備える。
空気調和機３００は、実施の形態１〜６のいずれかで説明した親端末１００を備える。  リモコン４００は、実施の形態１〜６のいずれかで説明した子端末２００を備える。
【００８８】
空気調和機３００は、実施の形態１〜６で説明した動作により、リモコン４００に起動要求信号やデータを送信する。
リモコン４００は、その起動要求信号を受信してスリープ状態から起動状態に遷移し、空気調和機３００からデータを受信する。
【００８９】
以上のように、本実施の形態７によれば、空気調和機３００とリモコン４００は、実施の形態１〜６の構成を備える。
これにより、空気調和機３００は、所望のタイミングでリモコン４００にデータを送信することができる。また、リモコン４００は、データを受信する時以外はスリープするため、消費電力の高い受信時の電力を極力抑えることが可能となる。
【００９０】
また、本実施の形態７によれば、空気調和機３００は、所望のタイミングでデータを送信することができるので、空気調和機３００とリモコン４００との間で時刻の同期をとることができる。また、空気調和機３００とリモコン４００との間で、種々の情報を共有することができる。
【００９１】
実施の形態８．
センサ端末とそのセンサ端末を統括する制御端末から構成されるセンサシステム（図示せず）において、制御端末が実施の形態１〜６で説明した親端末１００を備え、センサ端末が実施の形態１〜６で説明した子端末２００を備えるように構成することもできる。
この構成によって、制御端末はセンサ端末にデータをいつでも送信することができる。また、センサ端末は、データ受信時以外はスリープするため、消費電力を低減することができる。
様々な場所に設置されるため電池駆動の端末が多いセンサ端末にとって、消費電力の低減は有益である。
【図面の簡単な説明】
【００９２】
【図１】実施の形態１に係る通信システムの構成図である。
【図２】親端末処理装置１２０の機能ブロック図である。
【図３】子端末処理装置２２０の機能ブロック図である。
【図４】データ受信回路２１０の機能ブロック図である。
【図５】起動回路２３０の構成図である。
【図６】起動要求信号の波形と、起動回路２３０で起動要求信号を受信したときの各部における信号波形を示す図である。
【図７】親端末１００から子端末２００へデータ送信する際のシーケンス図である。
【図８】実施の形態２に係る無線システムの構成図である。
【図９】実施の形態２における親端末処理装置１２０の機能ブロック図である。
【図１０】実施の形態２における子端末処理装置２２０の機能ブロック図である。
【図１１】親端末１００から子端末２００へデータを送信する際のシーケンス図である。
【図１２】子端末２００からＡＣＫが返ってこない場合のシーケンス図である。
【図１３】実施の形態３に係る無線システムの構成図である。
【図１４】親端末１００から子端末２００へデータを送信する際のシーケンス図である。
【図１５】子端末２００からＡＣＫが返ってこない場合のシーケンス図である。
【図１６】実施の形態４に係る子端末２００の起動回路２３０の構成図である。
【図１７】実施の形態５に係る通信システムの構成図である。
【図１８】実施の形態７に係る空調システムの構成図である。
【符号の説明】
【００９３】
１００  親端末、１１０  データ送信回路、１２０  親端末処理装置、１２１  起動要求部、１２２  送信要求部、１２３  待機処理部、１２４  ＡＣＫ受信判定部、１３０  起動要求信号送信回路、１４０  データ受信回路、１５０  搬送波送信回路、１６０  起動回路、２００  子端末、２１０  データ受信回路、２１１  データ受信部、２１２  起動状態遷移部、２１３  スリープ状態遷移部、２２０  子端末処理装置、２２１  データ受信回路起動処理部、２２２  データ受信回路スリープ処理部、２２３  起動状態遷移処理部、２２４  スリープ状態遷移処理部、２２５  送信要求部、２３０  起動回路、２３１  共振回路、２３２  整流回路、２３３  充電回路、２３４  判定回路、２４０  データ送信回路、２５０  負荷変調回路、２６０  起動要求信号送信回路、３００  空気調和機、４００  リモコン。
【図１】
2010062609.tif 000003
【図２】
2010062609.tif 000004
【図３】
2010062609.tif 000005
【図４】
2010062609.tif 000006
【図５】
2010062609.tif 000007
【図６】
2010062609.tif 000008
【図７】
2010062609.tif 000009
【図８】
2010062609.tif 000010
【図９】
2010062609.tif 000011
【図１０】
2010062609.tif 000012
【図１１】
2010062609.tif 000013
【図１２】
2010062609.tif 000014
【図１３】
2010062609.tif 000015
【図１４】
2010062609.tif 000016
【図１５】
2010062609.tif 000017
【図１６】
2010062609.tif 000018
【図１７】
2010062609.tif 000019
【図１８】
2010062609.tif 000020